(57)【要約】      （修正有）【課題】瞬間加熱式の熱交換器に熱応答性が比較的悪いヒータを用いた場合でも、通水の開始直後に所望の温度の洗浄水を得ることができる衛生洗浄装置を提供する。【解決手段】水を瞬間的に加熱するヒータ４４１を有する熱交換器４４０と、水の供給を制御する給水弁４３１と、吐水口から水を噴射して人体局部を洗浄する洗浄ノズル４７１と、ヒータ４４１により加熱された水の温度を検知する水温検知手段４４３と、洗浄ノズル４７１から水の噴射を開始する前にヒータ４４１に通電しつつ熱交換器４４０内の水を排出する局部洗浄準備動作を実行するとともに、水温検知手段４４３により検知された水の温度が所定の異常温度よりも高くなるとヒータ４４１への通電を停止する異常対応動作を実行する制御部４０５とを備え、制御部４０５は、局部洗浄準備動作の実行中において、異常対応動作を実行せずに局部洗浄準備動作を継続する強制加熱モードを実行する。【選択図】図２
2011214233.tif 000002
【特許請求の範囲】
【請求項１】
水を瞬間的に加熱するヒータを有する加熱室が設けられた熱交換器と、
前記加熱室への水の供給を制御する給水弁と、
吐水口を有し、前記吐水口から水を噴射して人体局部を洗浄する洗浄ノズルと、
前記加熱室で加熱された水を前記洗浄ノズルへ供給する流路と、
前記流路に配設され、前記ヒータにより加熱された水の温度を検知する水温検知手段と、
前記ヒータおよび前記給水弁の動作の制御を実行可能であり、前記洗浄ノズルから人体局部に向けて水の噴射を開始する前に前記ヒータに通電しつつ前記熱交換器内の水を排出する局部洗浄準備動作を実行するとともに、前記水温検知手段により検知された水の温度が所定の異常温度よりも高くなると前記ヒータへの通電を停止する異常対応動作を実行する制御部と、
を備え、
前記制御部は、前記局部洗浄準備動作の実行中において、前記異常対応動作を実行せずに前記局部洗浄準備動作を継続する強制加熱モードを実行することを特徴とする衛生洗浄装置。
【請求項２】
前記制御部は、前記局部洗浄準備動作の実行を終了する前に前記強制加熱モードの実行を終了することを特徴とする請求項１記載の衛生洗浄装置。
【請求項３】
前記制御部は、前記給水弁を開いてから予め設定された所定時間が経過すると、前記強制加熱モードの実行を終了することを特徴とする請求項２記載の衛生洗浄装置。
【請求項４】
前記制御部は、前記水温検知手段により検知された水の温度が前記異常温度よりも高くなった後に前記異常温度よりも低くなると、前記強制加熱モードの実行を終了することを特徴とする請求項２記載の衛生洗浄装置。
【請求項５】
前記流路に配設され、前記水の供給先を前記洗浄ノズルに調節する切替弁をさらに備え、
前記制御部は、前記給水弁を開いた際には前記水を前記洗浄ノズルには供給せず、前記強制加熱モードの実行を終了した後に前記水を前記洗浄ノズルに供給するように、前記切替弁を制御することを特徴とする請求項２〜４のいずれか１つに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
衛生洗浄装置が備える瞬間加熱式の熱交換器には、一般的に、セラミックヒータが用いられている。これに対して、例えばコストの低減あるいはヒートショックに対する耐性の向上などを目的として、瞬間加熱式の熱交換器にシーズヒータを用いることができる。そこで、瞬間加熱式の熱交換器の加熱源としてシーズヒータを用いた人体洗浄装置および衛生洗浄装置がある（特許文献１および２）。しかしながら、瞬間加熱式の熱交換器の加熱源としてセラミックヒータやシーズヒータが用いられた場合には、それらのヒータは、「ＯＦＦ」に設定された後でも余熱を発生する場合がある。これにより、いわゆる「後沸き」などと呼ばれる現象が生じ、熱交換器内の水が異常に加熱される場合がある。
【０００３】
これに対して、特許文献２に記載された衛生洗浄装置は、噴出手段による人体の洗浄の開始時に、給水源からの洗浄水を洗浄水加熱手段に供給した後に洗浄水加熱手段に通電している。また、特許文献２に記載された衛生洗浄装置は、噴出手段による人体の洗浄の終了時に、給水源から洗浄水加熱手段への洗浄水の供給を停止する前に洗浄水加熱手段への通電を停止している。これにより、特許文献２に記載された衛生洗浄装置は、熱交換器内の水が異常に加熱されることを防止し、使用者の局部に高温の洗浄水が噴出されることを防止している。
【０００４】
しかしながら、シーズヒータは、セラミックヒータよりも熱応答性が悪いため、熱交換器内での「後沸き」を防止するためには、シーズヒータの通電を停止した後から洗浄水を止水するまでの間により長い時間が必要となる。そうすると、給水源からの冷たい水が、より長い時間、熱交換器内を通水するため、熱交換器が冷めすぎるという問題がある。熱交換器が冷めすぎると、次回の通水の開始後に所望の温度に洗浄水を加熱するためにより長い時間がかかる、あるいは人体局部へ噴射される洗浄水の初期の温度がより低くなるという問題がある。つまり、「後沸き」を防止できるほどの長い時間、給水源からの冷たい水を熱交換器に流すと、熱交換器が冷めすぎてしまい、人体局部へ噴射される水の初期の温度がより低くなるという問題がある。
【先行技術文献】
【特許文献】
【０００５】
【特許文献１】特開２００５−１０５６６８号公報
【特許文献２】特開２００８−２２３４７０号公報
【発明の概要】
【発明が解決しようとする課題】
【０００６】
本発明は、かかる課題の認識に基づいてなされたものであり、瞬間加熱式の熱交換器に熱応答性が比較的悪いヒータを用いた場合でも、通水の開始直後に所望の温度の洗浄水を得ることができる衛生洗浄装置を提供することを目的とする。
【課題を解決するための手段】
【０００７】
第１の発明は、水を瞬間的に加熱するヒータを有する加熱室が設けられた熱交換器と、前記加熱室への水の供給を制御する給水弁と、吐水口を有し、前記吐水口から水を噴射して人体局部を洗浄する洗浄ノズルと、前記加熱室で加熱された水を前記洗浄ノズルへ供給する流路と、前記流路に配設され、前記ヒータにより加熱された水の温度を検知する水温検知手段と、前記ヒータおよび前記給水弁の動作の制御を実行可能であり、前記洗浄ノズルから人体局部に向けて水の噴射を開始する前に前記ヒータに通電しつつ前記熱交換器内の水を排出する局部洗浄準備動作を実行するとともに、前記水温検知手段により検知された水の温度が所定の異常温度よりも高くなると前記ヒータへの通電を停止する異常対応動作を実行する制御部と、を備え、前記制御部は、前記局部洗浄準備動作の実行中において、前記異常対応動作を実行せずに前記局部洗浄準備動作を継続する強制加熱モードを実行することを特徴とする衛生洗浄装置である。
【０００８】
この衛生洗浄装置によれば、制御部は、局部洗浄準備動作の実行中において、異常対応動作を実行せずに局部洗浄準備動作を継続する強制加熱モードを実行する。これにより、水の温度が高温となり異常温度に到達しても、制御部は、局部洗浄準備動作の実行中においてヒータへの通電を継続できるため、局部洗浄の前において、ヒータにより高温に加熱された水で流路を確実に予熱することができる。
【０００９】
また、「後沸き」により加熱室の水が適温よりも高温に加熱され、水温検知手段がその高温の水の温度を検知した場合であっても、制御部は、局部洗浄準備動作の実行中において異常対応動作を実行せず、洗浄ノズルからの吐水の禁止を防止できる。そのため、使用者が局部洗浄機能を使用できなくなる状況を回避することができる。
【００１０】
また、「後沸き」を防止する必要はないため、ヒータや加熱室や熱交換器内の流路が冷めすぎることはない。そのため、ヒータや加熱室や熱交換器内の流路は、保温された状態となる。これにより、熱応答性が比較的悪いヒータを熱交換器のヒータとして使用した場合でも、次回の通水の開始後において、ヒータが所望の温度に水を加熱するために、より長い時間がかかることを防止することができる。つまり、次回の通水の開始後において、人体局部へ噴射される水の初期の温度がより低くなることを防止することができる。言い換えれば、熱応答性が比較的悪いヒータを熱交換器のヒータとして使用した場合でも、洗浄ノズルへの通水の開始直後に所望の温度の水を得ることができる。
【００１１】
また、第２の発明は、第１の発明において、前記制御部は、前記局部洗浄準備動作の実行を終了する前に前記強制加熱モードの実行を終了することを特徴とする衛生洗浄装置である。
【００１２】
この衛生洗浄装置によれば、制御部は、局部洗浄準備動作の実行中にのみ強制加熱モードを実行するため、人体局部に向けて水を噴射している間に強制加熱モードを実行することはない。そのため、適温よりも高温に加熱された水が人体局部に噴射されることを防止することができ、安全性を確実に確保することができる。
【００１３】
また、第３の発明は、第２の発明において、前記制御部は、前記給水弁を開いてから予め設定された所定時間が経過すると、前記強制加熱モードの実行を終了することを特徴とする衛生洗浄装置である。
【００１４】
この衛生洗浄装置によれば、制御部が電磁弁を開いてから予め設定された所定時間が経過すると、制御部は、強制加熱モードを解除する。そのため、人体局部に向けて水を噴射する際には、制御部は、異常対応動作を確実に実行可能である。これにより、安全性を確実に確保することができる。
【００１５】
また、第４の発明は、第２の発明において、前記制御部は、前記水温検知手段により検知された水の温度が前記異常温度よりも高くなった後に前記異常温度よりも低くなると、前記強制加熱モードの実行を終了することを特徴とする衛生洗浄装置である。
【００１６】
この衛生洗浄装置によれば、水温検知手段により検知された温度が異常温度に一旦到達し、その後に、その検知温度が異常温度よりも低下したことに基づいて、制御部は、強制加熱モードを解除する。すなわち、制御部は、熱交換器内の熱溜まりの排出を検知することにより強制加熱モードを解除する。そのため、適温よりも高温に加熱された水が人体局部に噴射されることを防止することができる。また、人体局部に向けて水を噴射する際には強制加熱モードが解除されているため、制御部は、異常対応動作を確実に実行可能である。これにより、安全性を確実に確保することができる。
【００１７】
また、第５の発明は、第２〜第４のいずれか１つの発明において、前記流路に配設され、前記水の供給先を前記洗浄ノズルに調節する切替弁をさらに備え、前記制御部は、前記給水弁を開いた際には前記水を前記洗浄ノズルには供給せず、前記強制加熱モードの実行を終了した後に前記水を前記洗浄ノズルに供給するように、前記切替弁を制御することを特徴とする衛生洗浄装置である。
【００１８】
この衛生洗浄装置によれば、異常温度よりも高い温度の水が加熱室から供給されても、その高温の水は、洗浄ノズルの内部には供給されずに排出される。そのため、異常温度よりも高い温度の水が洗浄ノズルの内部に入り込むことはない。これにより、適温よりも高温に加熱された水が人体局部に噴射されることを防止することができ、安全性を確実に確保することができる。
【発明の効果】
【００１９】
本発明の態様によれば、瞬間加熱式の熱交換器に熱応答性が比較的悪いヒータを用いた場合でも、通水の開始直後に所望の温度の洗浄水を得ることができる衛生洗浄装置が提供される。
【図面の簡単な説明】
【００２０】
【図１】本発明の実施の形態にかかる衛生洗浄装置を備えたトイレ装置を表す斜視模式図である。
【図２】本実施形態にかかる衛生洗浄装置の要部構成を表すブロック図である。
【図３】本実施形態にかかる衛生洗浄装置の水路系の要部構成の具体例を例示するブロック図である。
【図４】本実施形態の熱交換器の具体例を例示する断面模式図である。
【図５】実施形態にかかる衛生洗浄装置の動作を例示するタイミングチャートである。
【図６】実施形態にかかる衛生洗浄装置の他の動作を例示するタイミングチャートである。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。  
また、図２は、本実施形態にかかる衛生洗浄装置の要部構成を表すブロック図である。  なお、図２は、水路系と電気系の要部構成を併せて表している。
【００２２】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２３】
ケーシング４００の内部には、便座２００に座った使用者の「おしり」などの洗浄を実現する局部洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの図示しない操作部を操作すると、洗浄ノズル４７１を便器８００のボウル８０１内に進出させることができる。なお、図１に表した衛生洗浄装置１００では、洗浄ノズル４７１がボウル８０１内に進出した状態を表している。
【００２４】
洗浄ノズル４７１の先端部には、ひとつあるいは複数の吐水口４７３が設けられている。そして、洗浄ノズル４７１は、その先端部に設けられた吐水口４７３から水を噴射して、便座２００に座った使用者の「おしり」などを洗浄することができる。なお、本願明細書において「水」という場合には、冷水のみならず、加熱されたお湯も含むものとする。
【００２５】
より具体的に説明すると、本実施形態にかかる衛生洗浄装置１００は、図２に表したように、水道や貯水タンクなどの図示しない給水源から供給された水を導く給水配管１０を有する。給水配管１０の上流側には、給水弁４３１が設けられている。給水弁（以下説明の便宜上、「電磁弁」と称する）４３１は、開閉可能な電磁バルブであり、ケーシング４００の内部に設けられた制御部４０５からの指令に基づいて、熱交換器４４０への水の供給を制御する。
【００２６】
電磁弁４３１の下流側には、入水サーミスタ４３２が設けられている。入水サーミスタ４３２は、熱交換器４４０に導かれる水の温度を検知する。入水サーミスタ４３２の下流には、瞬間加熱式の熱交換器４４０が設けられている。熱交換器４４０は、供給された水を瞬間的に加熱し所定の温水にするヒータ４４１と、ヒータ４４１により加熱された水の温度を検知し、その水温の情報を制御部４０５へ出力する温水サーミスタ（水温検知手段）４４３と、を有する。
【００２７】
ヒータ４４１としては、例えば、シーズヒータやセラミックヒータなどが挙げられる。なお、熱交換器４４０に供給される水を所定の温度まで加熱するためのヒータ４４１への通電制御は、入水サーミスタ４３２にて検知される熱交換器４４０への入水温度と、温水サーミスタ４４３にて検知される加熱された水の温度と、の情報を制御部４０５が取り込むことによって、フィードフォワード制御とフィードバック制御の組合せにて行われる。
【００２８】
また、熱交換器４４０は、熱交換器４４０内の貯水の有無を検知し、熱交換器４４０の空焚きを防止するフロートスイッチ４４４と、熱交換器４４０から流出する水の温度が安全であることを確認するリミッタサーミスタ（水温検知手段）４４５と、例えば電磁弁４３１側に負圧が発生した場合などにおいて、洗浄ノズル４７１から汚水が逆流することを防止するバキュームブレーカ４４６と、を有する。
【００２９】
熱交換器４４０の下流には、洗浄ノズル４７１やノズル洗浄室４７２（図３参照）への給水の開閉や切替および水勢（流量）の調整を行う流路切替兼流量調整弁（切替弁）４５０が設けられている。流路切替兼流量調整弁４５０の下流は、例えば四方に分岐している。一方の流路は、捨水流路１５であり、残りの流路は、熱交換器４４０から供給された水を洗浄ノズル４７１へ供給するノズル流路１４である。なお、ノズル流路１４の設置数は、洗浄ノズル４７１の吐水口４７３の設置数に応じて適宜変更可能である。また、流路切替兼流量調整弁４５０の下流には、洗浄ノズル４７１を有するノズル装置４７０が設けられている。
【００３０】
なお、本実施形態では、温水サーミスタ４４３およびリミッタサーミスタ４４５は、熱交換器４４０に設置されているが、温水サーミスタ４４３およびリミッタサーミスタ４４５の設置形態は、これだけに限定されるわけではない。つまり、温水サーミスタ４４３およびリミッタサーミスタ４４５は、給水配管１０に配設されている限り、熱交換器４４０に設置されていなくともよい。
【００３１】
次に、本実施形態にかかる衛生洗浄装置の具体例について、図面を参照しつつ説明する。  
図３は、本実施形態にかかる衛生洗浄装置の水路系の要部構成の具体例を例示するブロック図である。  
また、図４は、本実施形態の熱交換器の具体例を例示する断面模式図である。
【００３２】
図３に表したように、図示しない給水源から供給された水は、まず、分岐金具４１０に導かれる。分岐金具４１０に導かれた水は、連結ホース４２０および図示しない便器洗浄用のバルブユニットに分配される。但し、本実施形態にかかる衛生洗浄装置１００を備えたトイレ装置は、いわゆる「水道直圧式」に限定されるわけではなく、いわゆる「ロータンク式」であってもよい。そのため、トイレ装置が「ロータンク式」である場合には、分岐金具４１０に導かれた水は、便器洗浄用のバルブユニットの代わりに、図示しないロータンクに導かれる。
【００３３】
続いて、連結ホース４２０に供給された水は、バルブユニット４３０に導かれる。バルブユニット４３０は、電磁弁４３１と、入水サーミスタ４３２と、水抜栓４３３と、調圧弁４３４と、逆止弁４３５と、を有する。水抜栓４３３は、給水配管１０内の水が凍結するおそれがあるときなどに使用され、給水配管１０内の水を排出できる。また、調圧弁４３４は、給水圧が高い場合に、所定の圧力範囲に調整する役割を有する。なお、電磁弁４３１および入水サーミスタ４３２は、図２に関して前述した如くである。
【００３４】
続いて、バルブユニット４３０に供給された水は、熱交換器４４０に導かれる。熱交換器４４０は、ヒータ４４１と、温水サーミスタ４４３と、フロートスイッチ４４４と、リミッタサーミスタ４４５と、バキュームブレーカ４４６と、を有する。ヒータ４４１の少なくとも一部は、熱交換器４４０の内部に形成された加熱室４４９に配設されている。そのため、熱交換器４４０の内部に供給された水は、加熱室４４９においてヒータ４４１により瞬間的に加熱される。  
なお、ヒータ４４１と、温水サーミスタ４４３と、フロートスイッチ４４４と、リミッタサーミスタ４４５と、バキュームブレーカ４４６と、は図２に関して前述した如くである。
【００３５】
熱交換器４４０の加熱室４４９において加熱された水は、流路切替兼流量調整弁４５０へ導かれる。流路切替兼流量調整弁４５０へ導かれた水は、洗浄ノズル４７１側への通水と、ノズル洗浄室４７２側への通水と、を切り替えられ、且つ、水勢を調整される。なお、ノズル装置４７０が有するノズル洗浄室４７２は、その内部に設けられた図示しない吐水部から水を噴射することにより、洗浄ノズル４７１の外周表面（胴体）を洗浄することができる。
【００３６】
続いて、流路切替兼流量調整弁４５０から洗浄ノズル４７１側へ通水された水は、圧力変調装置４６０へ供給される。この圧力変調装置４６０は、流路内の水の流れに脈動を与え、洗浄ノズル４７１の吐水口４７３から吐水される水に脈動を与えることができる。続いて、圧力変調装置４６０からノズル装置４７０へ供給された水は、流路切替弁４７５により、例えば「おしり洗浄」や「やわらか洗浄」や「ビデ洗浄」などに対応するそれぞれのノズル流路１４（図２参照）へ通水される。そして、ノズル流路１４へ通水された水は、例えば「おしり洗浄」や「やわらか洗浄」や「ビデ洗浄」などに対応するそれぞれの吐水口４７３から人体局部へ向けて噴射される。一方、流路切替兼流量調整弁４５０からノズル洗浄室４７２側へ通水された水は、ノズル洗浄室４７２の内部に設けられた図示しない吐水部から洗浄ノズル４７１の外周表面（胴体）へ向けて噴射される。
【００３７】
ここで、さらに詳細に説明すると、着座検知センサ４０４が便座２００に座った使用者を検知している場合において、使用者が例えば図示しない「おしり洗浄スイッチ」などを押すと、制御部４０５は、電磁弁４３１を開き、バルブユニット４３０から熱交換器４４０への通水を開始する。バルブユニット４３０から熱交換器４４０へ供給された水は、加熱室４４９へ流入し、ヒータ４４１により瞬間的に加熱される。そして、加熱室４４９において加熱された水は、洗浄ノズル４７１の吐水口４７３から「おしり」などへ向けて噴射される。続いて、使用者が図示しない「止スイッチ」を押すと、制御部４０５は、電磁弁４３１を閉じ、バルブユニット４３０から熱交換器４４０への通水を停止する。
【００３８】
このとき、制御部４０５が、ヒータ４４１への通電の停止と、電磁弁４３１の閉止と、を同時に行うと、いわゆる「後沸き」などと呼ばれる現象が生ずる場合がある。あるいは、制御部４０５が、ヒータ４４１への通電を停止した後に電磁弁４３１を閉じた場合でも、例えばシーズヒータなどのような熱応答性が比較的悪いヒータを熱交換器４４０のヒータ４４１として使用した場合には、いわゆる「後沸き」などと呼ばれる現象が生ずる場合がある。
【００３９】
より具体的に説明すると、ヒータ４４１は、制御部４０５により通電を停止された後でも余熱を発生する場合がある。これは、熱応答性が比較的悪いヒータ（例えば、シーズヒータなど）を熱交換器４４０のヒータ４４１として使用した場合に生ずることがある。このとき、制御部４０５が、電磁弁４３１を閉じていたり、ヒータ４４１への通電の停止から間もなく電磁弁４３１を閉じると、加熱室４４９の水は、その加熱室４４９に滞留するためヒータ４４１の余熱により加熱される。そうすると、加熱室４４９の水は、適温よりも高温に加熱される場合がある。このように、通電を停止された後のヒータ４４１の余熱により、加熱室４４９の水が加熱される現象を、本願明細書では「後沸き」と呼ぶこととする。
【００４０】
この「後沸き」により加熱室４４９の水が適温よりも高温に加熱された状態において、使用者が例えば図示しない「おしり洗浄スイッチ」などを押すと、その高温に加熱された水は温水サーミスタ４４３側へ導かれる。そのため、このままでは、高温に加熱された水が人体局部に噴射される場合がある。そこで、温水サーミスタ４４３は、高温に加熱された水の温度を検知し、その温度の情報を制御部４０５へ出力する。これにより、制御部４０５は、ヒータ４４１への通電を停止するなどの異常対応動作を実行する。これによれば、適温よりも高温に加熱された水が人体局部に噴射されることを防止することができ、安全性を確実に確保することができる。これは、リミッタサーミスタ４４５が、適温よりも高温に加熱された水の温度を検知した場合も同様である。
【００４１】
このように、制御部４０５は、異常対応動作によって、電磁弁４３１を開いたままヒータ４４１への通電を停止する場合がある。そうすると、給水源からの冷たい水が、より長い時間、加熱室４４９を流れるため、ヒータ４４１や加熱室４４９や熱交換器４４０内の流路が冷めすぎてしまう。例えばシーズヒータなどのような熱応答性が比較的悪いヒータを熱交換器４４０のヒータ４４１として使用した場合において、ヒータ４４１や加熱室４４９や熱交換器４４０内の流路が冷めすぎると、次回の通水の開始後において、ヒータ４４１が所望の温度に水を加熱するためには、より長い時間がかかる。あるいは、ヒータ４４１や加熱室４４９や熱交換器４４０内の流路が冷めすぎると、次回の通水の開始後において、人体局部へ噴射される水の初期の温度がより低くなる。
【００４２】
また、制御部４０５は、異常対応動作によって、電磁弁４３１を閉じなくとも、洗浄ノズル４７１をケーシング４００内へ収納し、流路切替兼流量調整弁４５０を制御して給水方向を捨水流路１５（バイパス流路）へ切り替えることにより、吐水口４７３からの吐水を禁止する場合がある。あるいは、制御部４０５は、電磁弁４３１を閉じることにより、吐水口４７３からの吐水を禁止する場合がある。そうすると、使用者は、局部洗浄機能を使用できなくなる。
【００４３】
これらに対して、本実施形態の制御部４０５は、局部洗浄準備動作の実行中において、異常対応動作を実行せずに局部洗浄準備動作を継続する強制加熱モードを実行する。なお、本願明細書において「局部洗浄準備動作」とは、制御部４０５が洗浄ノズル４７１から人体局部に向けて水の噴射を開始する前に、ヒータ４４１に通電しつつ熱交換器４４０内の水を排出する動作をいう。
【００４４】
これによれば、水の温度が高温となり異常温度に到達しても、制御部４０５は、局部洗浄準備動作の実行中においてヒータ４４１への通電を継続できるため、局部洗浄の前において、ヒータ４４１により高温に加熱された水で流路を確実に予熱することができる。  
また、「後沸き」により加熱室４４９の水が適温よりも高温に加熱され、温水サーミスタ４４３やリミッタサーミスタ４４５がその高温の水の温度を検知した場合であっても、制御部４０５は、局部洗浄準備動作の実行中において異常対応動作を実行せず、吐水口４７３からの吐水の禁止を防止できる。そのため、使用者が局部洗浄機能を使用できなくなる状況を回避することができる。
【００４５】
また、「後沸き」を防止する必要はないため、ヒータ４４１や加熱室４４９や熱交換器４４０内の流路が冷めすぎることはない。そのため、ヒータ４４１や加熱室４４９や熱交換器４４０内の流路は、保温された状態となる。これにより、熱応答性が比較的悪いヒータを熱交換器４４０のヒータ４４１として使用した場合でも、次回の通水の開始後において、ヒータ４４１が所望の温度に水を加熱するために、より長い時間がかかることを防止することができる。つまり、次回の通水の開始後において、人体局部へ噴射される水の初期の温度がより低くなることを防止することができる。言い換えれば、熱応答性が比較的悪いヒータを熱交換器４４０のヒータ４４１として使用した場合でも、洗浄ノズル４７１への通水の開始直後に所望の温度の水を得ることができる。
【００４６】
また、本実施形態の制御部４０５は、局部洗浄準備動作の実行を終了する前に、強制加熱モードの実行を終了する。これによれば、制御部４０５は、局部洗浄準備動作の実行中にのみ強制加熱モードを実行するため、人体局部に向けて水を噴射している間に強制加熱モードを実行することはない。そのため、適温よりも高温に加熱された水が人体局部に噴射されることを防止することができ、安全性を確実に確保することができる。
【００４７】
次に、本実施形態にかかる衛生洗浄装置１００の動作について、図面を参照しつつ説明する。  
図５は、実施形態にかかる衛生洗浄装置の動作を例示するタイミングチャートである。
【００４８】
まず、使用者が図示しない「おしり洗浄スイッチ」を押すと、制御部４０５は、電磁弁４３１を開き、熱交換器４４０のヒータ４４１を「ＯＮ」に設定、すなわちヒータ４４１への通電を開始する（タイミングｔ１）。このとき、制御部４０５は、流路切替兼流量調整弁４５０を「バイパス」に設定し、ノズル洗浄室４７２に設けられた図示しない吐水部から水を噴射可能とする（タイミングｔ１）。すなわち、制御部４０５は、局部洗浄準備動作の実行を開始する。
【００４９】
これにより、加熱室４４９においてヒータ４４１により加熱された水は、ノズル洗浄室４７２へ供給され、洗浄ノズル４７１の外周表面へ向けて噴射された後、便器８００のボウル８０１へ排出される。そのため、加熱室４４９においてヒータ４４１により加熱された水が洗浄ノズル４７１側へ供給されることはない。これにより、適温よりも高温に加熱された水が人体局部に噴射されることを防止することができ、安全性を確実に確保することができる。また、加熱室４４９においてヒータ４４１により加熱された水は、バイパス流路へ通水された後に洗浄ノズル４７１の外周表面を洗浄する水として有効に利用可能である。
【００５０】
また、これと同じタイミングにおいて、制御部４０５は、安全動作を無視する、すなわち強制加熱モードの実行を開始する（タイミングｔ１）。ここで、本願明細書において「安全動作を無視する」という動作には、例えば、制御部４０５が温水サーミスタ４４３およびリミッタサーミスタ４４５の動作を停止したり、制御部４０５が温水サーミスタ４４３およびリミッタサーミスタ４４５の検知温度を無視したり、制御部４０５が温水サーミスタ４４３およびリミッタサーミスタ４４５の検知温度を受信しても対応動作を行わないなどの動作が含まれる。
【００５１】
また、制御部４０５が強制加熱モードの実行を開始するタイミングは、図５に表したタイミングに限定されるわけではなく、使用者が図示しない「おしり洗浄スイッチ」を押す前（タイミングｔ１よりも前）であってもよい。あるいは、制御部４０５が強制加熱モードの実行を開始するタイミングは、使用者が図示しない「おしり洗浄スイッチ」を押した後であって、温水サーミスタ４４３の検知温度が基準温度（異常温度）に到達する前（タイミングｔ１とタイミングｔ２との間）であってもよい。
【００５２】
続いて、温水サーミスタ４４３の検知温度が基準温度（異常温度）に到達しても（タイミングｔ２）、制御部４０５は、局部洗浄準備動作の実行中であって、強制加熱モードを実行中であるため、異常対応動作を実行せずに局部洗浄準備動作を継続する。つまり、制御部４０５は、ヒータ４４１への通電を継続する。これにより、前述したように、局部洗浄の前において、ヒータ４４１により高温に加熱された水で流路を確実に予熱することができる。
【００５３】
続いて、温水サーミスタ４４３の検知温度が基準温度よりも低下すると、制御部４０５は、安全動作を「無視」から「有効」へ切り替え、強制加熱モードを解除、すなわち強制加熱モードの実行を終了する（タイミングｔ３）。これにより、加熱室４４９においてヒータ４４１により加熱された水の排出が完了する。
【００５４】
続いて、制御部４０５は、流路切替兼流量調整弁４５０を「バイパス」から「ＳＣ（セルフクリーニング）」へ切り替え、例えば「おしり洗浄」、「やわらか洗浄」、および「ビデ洗浄」などのための全ての吐水口４７３からの吐水を可能とする（タイミングｔ４）。すなわち、制御部４０５は、強制加熱モードの実行を終了した後に、流路切替兼流量調整弁４５０を制御することにより洗浄ノズル４７１側へ水を供給する。これにより、洗浄ノズル４７１の「前洗浄」が行われる。
【００５５】
より具体的に説明すると、洗浄ノズル４７１は、洗浄ノズル４７１がケーシング４００に収納された状態において、洗浄ノズル４７１自身が有する吐水口４７３から水を吐水することにより吐水口４７３の部分を洗浄することができる。さらに、洗浄ノズル４７１がケーシング４００に収納された状態では、洗浄ノズル４７１の吐水口４７３の部分はノズル洗浄室４７２の中にほぼ収容されているため、洗浄ノズル４７１の吐水口４７３から吐水された水は、ノズル洗浄室４７２の内壁により反射して吐水口４７３の部分にかかる。そのため、洗浄ノズル４７１の吐水口４７３の部分は、ノズル洗浄室４７２の内壁で反射した水によっても洗浄される。
【００５６】
続いて、「前洗浄」が完了すると、制御部４０５は、流路切替兼流量調整弁４５０を「ＳＣ」から「バイパス」へ切り替え、ケーシング４００に収納されていた洗浄ノズル４７１を「おしり洗浄」の位置まで進出させる（タイミングｔ５〜ｔ６）。このとき、制御部４０５は、電磁弁４３１を開いているため、洗浄ノズル４７１の胴体は、ノズル洗浄室４７２の吐水部から噴射される水により洗浄される。続いて、制御部４０５は、流路切替兼流量調整弁４５０を「バイパス」から「洗浄位置」へ切り替え、「おしり洗浄」を開始する（タイミングｔ６）。また、これと同じタイミングにおいて、制御部４０５は、局部洗浄準備動作の実行を終了する。
【００５７】
図５に表したタイミングチャートの動作によれば、温水サーミスタ４４３の検知温度が基準温度に一旦到達し、その後に、その検知温度が基準温度よりも低下したことに基づいて、制御部４０５は、強制加熱モードを解除する。すなわち、制御部４０５は、熱交換器４４０内の熱溜まりの排出を検知することにより強制加熱モードを解除する。そのため、適温よりも高温に加熱された水が人体局部に噴射されることを防止することができる。また、人体局部に向けて水を噴射する際には強制加熱モードが解除されているため、制御部４０５は、異常対応動作を確実に実行可能である。これにより、安全性を確実に確保することができる。
【００５８】
図６は、実施形態にかかる衛生洗浄装置の他の動作を例示するタイミングチャートである。  
まず、使用者が図示しない「おしり洗浄スイッチ」を押すと、制御部４０５は、時間カウントを開始する（タイミングｔ１）。この動作は、後述するように、制御部４０５が強制加熱モードを解除するための基準となる強制加熱モードの実行時間を数える動作である。タイミングｔ１〜ｔ２におけるその他の動作は、図５に関して前述したタイミングｔ１〜ｔ２における動作と同様である。
【００５９】
続いて、温水サーミスタ４４３の検知温度が基準温度よりも低下しても、制御部４０５は、強制加熱モードを解除しない（タイミングｔ３）。すなわち、温水サーミスタ４４３の検知温度が基準温度よりも低下しても、制御部４０５は、強制加熱モードの実行を終了しない（タイミングｔ３）。また、このとき、加熱室４４９においてヒータ４４１により加熱された水の排出が完了する。
【００６０】
続いて、制御部４０５が電磁弁４３１を開いてから予め設定された所定時間が経過すると、制御部４０５は、強制加熱モードを解除、すなわち強制加熱モードの実行を終了し、安全動作を「無視」から「有効」へ切り替える（タイミングｔ４）。また、制御部４０５は、時間カウントを停止する（タイミングｔ４）。ここで、所定時間としては、例えば、熱交換器４４０内に残った熱溜まりや「後沸き」の水が排出される時間を設定することができる。つまり、温水サーミスタ４４３の検知温度が基準温度よりも確実に低くなる時間を設定することができる。続いて、タイミングｔ５〜ｔ７における動作は、図５に関して前述したタイミングｔ４〜ｔ６における動作と同様である。
【００６１】
図６に表したタイミングチャートの動作によれば、制御部４０５が電磁弁４３１を開いてから予め設定された所定時間が経過すると、制御部４０５は、強制加熱モードを解除する。そのため、人体局部に向けて水を噴射する際には、制御部４０５は、異常対応動作を確実に実行可能である。これにより、安全性を確実に確保することができる。
【００６２】
以上説明したように、本実施形態によれば、制御部４０５は、局部洗浄準備動作の実行中において、異常対応動作を実行せずに局部洗浄準備動作を継続する強制加熱モードを実行する。これによれば、水の温度が高温となり異常温度に到達しても、制御部４０５は、局部洗浄準備動作の実行中においてヒータ４４１への通電を継続できるため、局部洗浄の前において、ヒータ４４１により高温に加熱された水で流路を確実に予熱することができる。また、制御部４０５は、吐水口４７３からの吐水の禁止を防止できるため、使用者が局部洗浄機能を使用できなくなる状況を回避することができる。また、「後沸き」を防止する必要はないため、ヒータ４４１や加熱室４４９や熱交換器４４０内の流路は保温された状態となる。そのため、熱応答性が比較的悪いヒータを熱交換器４４０のヒータ４４１として使用した場合でも、洗浄ノズル４７１への通水の開始直後に所望の温度の水を得ることができる。
【００６３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、熱交換器４４０などが備える各要素の形状、寸法、材質、配置などや温水サーミスタ４４３やリミッタサーミスタ４４５の設置形態などは、例示したものに限定されるわけではなく適宜変更することができる。  
例えば、図５および図６に関して前述した動作では、制御部４０５が温水サーミスタ４４３の検知温度に基づいて強制加熱モードを解除する動作などを例示したが、図５および図６に表した温水サーミスタ４４３は、リミッタサーミスタ４４５に置き換えられてもよい。すなわち、制御部４０５は、リミッタサーミスタ４４５の検知温度に基づいて強制加熱モードを解除するなどの動作を行ってもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６４】
１０ 給水配管、  １４ ノズル流路、  １５ 捨水流路、  １００ 衛生洗浄装置、  ２００ 便座、  ３００ 便蓋、  ４００ ケーシング、  ４０４ 着座検知センサ、  ４０５ 制御部、  ４１０ 分岐金具、  ４２０ 連結ホース、  ４３０ バルブユニット、  ４３１ 給水弁（電磁弁）、  ４３２ 入水サーミスタ、  ４３３ 水抜栓、  ４３４ 調圧弁、  ４３５ 逆止弁、  ４４０ 熱交換器、  ４４１ ヒータ、  ４４３ 温水サーミスタ、  ４４４ フロートスイッチ、  ４４５ リミッタサーミスタ、  ４４６ バキュームブレーカ、  ４４９ 加熱室、  ４５０ 流路切替兼流量調整弁、  ４６０ 圧力変調装置、  ４７０ ノズル装置、  ４７１ 洗浄ノズル、  ４７２ ノズル洗浄室、  ４７３ 吐水口、  ４７５ 流路切替弁、  ８００ 便器、  ８０１ ボウル
【図１】
2011214233.tif 000003
【図２】
2011214233.tif 000004
【図３】
2011214233.tif 000005
【図４】
2011214233.tif 000006
【図５】
2011214233.tif 000007
【図６】
2011214233.tif 000008